【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
筐体の前面に配置された液晶表示部と、前記筐体の底面において着脱可能なスタンドと、下側に横長の段差凹部を形成した背面筐体と、前記段差凹部の下向きの壁面に開口した開口窓から外部に導出される複数の入出力端子類及び／または電源コードと、前記段差凹部を覆うカバー部材と、該カバー部材と前記背面筐体とを着脱可能に係止するために前記カバー部材に一体形成する係止手段とを備えた液晶型テレビにおいて、前記係止手段は前記カバー部材の両横端から前記段差凹部の側壁部側に突き出して前記カバー部材と一体的に形成された複数の係止爪部と、該係止爪部に対応して前記段差凹部に形成する複数の係合孔とから成り、前記係止爪部と前記係合孔との係合後、前記係止爪部の係合解除方向の動きを抑制する抑制用壁を、前記段差凹部に一体形成したことを特徴とするカバー部材の係止手段を備えた液晶型テレビ。
【請求項２】
前記カバー部材の一端側に形成される前記係止爪部はＬ字型の差込片として形成され、前記カバー部材の他端側に形成される前記係止爪部は、前記係止孔に係止するための係止片を有し弾性を有するＵ字型のフック片として形成され、前記差込片と前記フック片において、少なくとも各々１つずつが前記カバー部材の下端縁寄りに配置されるとともに、前記係合孔は前記段差凹部の側壁部に形成され、該側壁部に対向して前記抑制用壁が前記背面筐体に一体形成されていることを特徴とする請求項１記載のカバー部材の係止手段を備えた液晶型テレビ。
【請求項３】
前記抑制用壁の高さは前記係合孔の上部高さと概ね一致しているとともに、前記差込片の背面にはリブが形成してあり、前記差込片の基部から端部までの寸法が、前記抑制用壁と前記リブとの間隔より長く形成されるとともに、前記フック片の基部から前記係止片の先端までの寸法が、前記抑制用壁と前記フック片との間隔より長く形成されていることを特徴とする請求項２記載のカバー部材の係止手段を備えた液晶型テレビ。
【請求項４】
前記抑制用壁は前記差込片と前記フック片を囲う枠型に形成したことを特徴とする請求項３記載のカバー部材の係止手段を備えた液晶型テレビ。
【手続補正２】
【補正対象書類名】明細書
【補正対象項目名】全文
【補正方法】変更
【補正の内容】
【発明の詳細な説明】
【発明の名称】カバー部材の係止手段を備えた液晶型テレビ
【技術分野】
【０００１】
本発明は、薄型でスタンド型や壁掛け型として利用できる液晶型テレビにおいて、特に液晶型テレビと複数の外部家電機器とを接続する多数のコード類を入出力端子と接続して引き出す位置を前記液晶型テレビの下側で下向きに統一して乱雑になり易い前記接続コード類の配置を整理し、これら多数のコード類の接続部を覆い隠す幅広なカバー部材を設けて接続部を保護すると共に液晶型テレビの美観を高め、カバー部材を着脱する際は簡単容易な操作で行え、且つ幅広で撓み易いカバー部材を取り付けた後は不用意な外力が加わっても簡単に外れないカバー部材の係止手段を備えた液晶型テレビに関する。
【背景技術】
【０００２】
従来から物を収容する容器とそれを覆うカバー部材には係止爪部と係合孔を係合して係止する方法が多用されてきた。このような容器とカバー部材との係止方法については、たとえば次のような従来技術が知られている。特許文献１には、図８に示すように、図示しない乾電池を収納する電池ケースの筐体４とこれを覆う平面状のカバー部材６が備えられている。筐体４には乾電池を収納する凹部１０があり、この凹部１０の一端側の上縁にはカバー部材６の一端側の２箇所に形成された差込片４４が嵌挿される係合孔１７が２箇所開口し、係合孔１７に差込片４４が嵌挿されて係止することを可能とし、また、カバー部材６の他端側には略Ｕ字型に突き出してバネ性を持たせたＵ字型係止爪部５２の一部に形成されたフック片５４が配置されていると共に、凹部１０の他端側の上縁には、フック片５４と係合する係合溝１９が形成され、Ｕ字型の先端部側を指先で操作することにより着脱可能に係合している。
【０００３】
また、従来の液晶型テレビにおいても、液晶表示部を前面に配置した筐体の背面には図９に示す背面筐体５が配置され、背面筐体５の下側には横長なカバー部材６が取り付けられている。また背面筐体５の下側に形成された段差凹部１１の下向きの壁面１２には図示しない外部の電子機器と接続を可能とする複数の入出力端子類７と電源コード８が下向きに配置されている。段差凹部１１とカバー部材６の下端縁の間には端子類７と接続される図示しないコード類が下向きに引き出しを可能とするコード引き出し用隙間３０がカバー部材６の下端縁を切り欠いて形成されている。背面筐体５の下側に取り付けられるカバー部材６の係止手段について図１０により説明する。図１０は図９に示す背面筐体５とカバー部材６の左側を拡大した一部断面を含む斜視図である。図１０に示す前記横長なカバー部材６の一端側４１にはＬ字型係止爪部４２が形成されており、段差凹部１１の一端側の壁面１５にはＬ字型係止爪部４２の差込片４４を係合する係合孔１７が開口している。また、図１１は図９に示す背面筐体５とカバー部材６の右側を拡大した一部断面を含む斜視図である。図１１に示すカバー部材６の他端側５１にはＵ字型係止爪部５２が形成されていると共に、係止爪部５２のフック片５４と係合する係合孔１７が段差凹部１１の他端側の壁面１６に開口し、カバー部材６は図１２の断面図に示すように背面筐体５に係止されている。
【０００４】
【特許文献１】実開昭５２−３４０４１号公報
【発明の開示】
【発明が解決しようとする課題】
【０００５】
特許文献１の従来技術によれば、乾電池などを収納する電池ケース筐体４の凹部１０の一端側の上縁には係合孔１７が２箇所開口し、開口部を覆う平面状のカバー部材６の一端側の２箇所に形成された差込片４４が嵌挿されて係止する。また、カバー部材６の他端側にバネ性を持たせたＵ字型係止爪部５２が配置され、その一部にフック片５４が形成されていると共に、電池ケース筐体４の凹部１０の他端側の上縁には係合溝１９が形成され、フック片５４と係合溝１９が係合して係止する。このようにカバー部材６の両端側に設けた係止構造により電池ケースのカバー部材６のように小さくて撓む恐れの無い大きさにおいては、カバー部材６が撓んでも略Ｕ字型のバネ性を持たせたフック片５４が押し当てられており、差込片４４及びフック片５４が外れてしまうといった恐れは無いが、このカバー部材６とカバー部材６に付随する係止構造をそのまま大きくして液晶型テレビの背面を幅方向に覆うといった場合は、平面状のカバー部材６が大きく撓み易くなることにより差込片４４やフック片５４が係合孔１７に届かなくなって外れてしまうといった問題がある。
【０００６】
また、図９に示した液晶型テレビの背面筐体に横長なカバー部材を取り付ける係止手段において、カバー部材６を背面筐体５に取り付けるときは、カバー部材６のＬ字型係止爪部４２の差込片４４を係合孔１７に先に嵌挿し、続いてＵ字型係止爪部５２を係合孔１７に嵌挿するといった簡単な手順で行うことが出来る。しかし、図１３のようにカバー部材６に対して液晶型テレビの後側方向、図１３では矢印方向に外力（Ｆ）が働くと、横長で撓み易いカバー部材６は後側に大きく撓み、Ｌ字型係止爪部４２の差込片４４やＵ字型係止爪部５２のフック片５４が係合孔１７から外れ易いといった問題点を抱えていた。
【０００７】
本発明は、特許文献１における電池ケースのような平板状のカバー部材の係止構造をそのまま液晶型テレビの筐体背面のカバー部材に適用すれば、前記カバー部材は撓み易くなって差込片やフック片が外れ易くなってしまうといった問題があり、また、従来例のように液晶型テレビにおいて背面筐体の下側に下向きに設けた複数の入出力端子類と接続されるコード類や電源コードの引き出し部を覆う横長で撓み易いカバー部材が不用意な外力（Ｆ）により外れてしまうといった問題を解消すると共に、複数の外部家電機器との接続を可能とするために複数のコード類の引き出し位置を前記液晶型テレビの下側で下向きに統一して乱雑になり易い前記接続コード類の配置を整理し、これら複数のコード類の接続部を覆い隠す幅広なカバー部材を設けて接続部を保護すると共に液晶型テレビの美観を高め、カバー部材を着脱する際は簡単容易な操作で行え、且つ横長で撓み易いカバー部材を取り付けた後は不用意な外力（Ｆ）が加わっても簡単には外れ難いカバー部材の係止手段を備えたことにより、薄型でスタンド型や壁掛け型に適した液晶型テレビを提供することを目的とする。
【課題を解決するための手段】
【０００８】
請求項１に係るカバー部材の係止手段を備えた液晶型テレビにおいて、筐体の前面に配置された液晶表示部と、前記筐体の底面において着脱可能なスタンドと、下側に横長の段差凹部を形成した背面筐体と、前記段差凹部の下向きの壁面に開口した開口窓から外部に導出される複数の入出力端子類および／又は電源コードと、前記段差凹部を覆うカバー部材と、該カバー部材と前記背面筐体とを着脱可能に係止するために前記カバー部材に一体形成する係止手段とを備えた液晶型テレビにおいて、前記係止手段は前記カバー部材の両横端から前記段差凹部の側壁部側に突き出して前記カバー部材と一体的に形成された複数の係止爪部と、該係止爪部に対応して前記段差凹部に形成する複数の係合孔とから成り、前記係止爪部と前記係合孔との係合後、前記係止爪部の係合解除方向の動きを抑制する抑制用壁を、前記段差凹部に一体形成したことを特徴とする。
【０００９】
請求項１の構成によれば、カバー部材の係止手段を備えた液晶型テレビにおいて、前記カバー部材の係止手段はカバー部材の両横端から背面筐体の段差凹部の側壁部側に突き出してカバー部材と一体的に形成された複数の係止爪部と、係止爪部に対応して段差凹部に形成する複数の係合孔とから成り、係止爪部が係合孔に嵌挿されることで係合し、カバー部材を背面筐体に係止する係止手段を有している。また、段差凹部には係止爪部と係合孔とを係合した後、係止爪部の係合解除方向の動きを抑制する抑制用壁を一体形成したことにより、段差凹部を覆う横長で撓み易いカバー部材が不用意に外力を受けて撓み、係止爪部が外れそうになった場合でも、抑制用壁がこの動きを抑制して係止爪部の抜けを防止することが出来る。
【００１０】
本発明の請求項２のカバー部材の係止手段を備えた液晶型テレビは、請求項１記載のカバー部材の係止手段を備えた液晶型テレビにおいて、前記カバー部材の一端側に形成される前記係止爪部は、Ｌ字型の差込片として形成され、前記カバー部材の他端側に形成される前記係止爪部は、前記係止孔に係止するための係止片を有し、弾性を有するＵ字型のフック片として形成され、前記差込片と前記フック片において、少なくとも各々１つずつが前記カバー部材の下端縁寄りに配置されるとともに、前記係合孔は前記段差凹部の側壁部に形成され、該側壁部に対向して前記抑制用壁が前記背面筐体に一体形成されていることを特徴とする。
【００１１】
請求項２の構成によれば、係止爪部はカバー部材の一端側に係止爪部としてＬ字型の差込片が形成され、他端側には係止爪部として、係止片を有し、弾性を有するＵ字型のフック片が形成されたことにより、カバー部材を背面筐体に取り付けるときは、差込片を先に係合孔に嵌挿し、続いてフック片を嵌挿することにより係止片が係合孔の縁面と圧接して係合を維持すると共に、カバー部材を取り外すときは、フック片の係合を先に解除してから差込片の係合を解除することで可能となる。また、これら差込片とフック片が少なくともカバー部材の下端縁寄りに配置されるとともに、差込片を挿入してカバー部材の一端を係合する係合孔と、フック片と係止してカバー部材を固定する係合孔とが段差凹部の側壁部に形成され、その側壁部と対向して抑制用壁が一体形成されていることにより、横長で特に撓み易いカバー部材の下端寄りが不用意に外力を受けて撓み、係止爪部が外れそうになった場合でも、側壁部と対向して係止爪部の背面側に形成した抑制用壁がこの動きを抑制することにより係止爪部が係合孔から外れることを防止することが出来る。
【００１２】
本発明の請求項３のカバー部材の係止手段を備えた液晶型テレビは、請求項２記載のカバー部材の係止手段を備えた液晶型テレビにおいて、前記抑制用壁の高さは前記係合孔の上部高さと概ね一致しているとともに、前記差込片の背面にはリブが形成してあり、前記差込片の基部から端部までの寸法が、前記抑制用壁と前記リブとの間隔より長く形成されるとともに、前記フック片の基部から最外縁までの寸法が前記抑制用壁と前記フック片との間隔より長く形成されていることを特徴とする。
【００１３】
請求項３の構成によれば、抑制用壁の高さは係合孔の上部高さと概ね一致していることによりカバー部材が係止状態にあるときは差込片とフック片を係止することが出来る。また、差込片においては、背面にはリブを形成してあり、差込片とこれに対応する係合孔とが係合しているときは、差込片の基部から端部までの寸法と、リブと抑制用壁との間隔との関係は、差込片の基部から端部までの寸法がリブと抑制用壁との間隔より長いことにより、カバー部材が外力により撓み差込片が後退しても、差込片の背面側に形成した抑制用壁がリブに当接して差込片がそれ以上後退することを抑制するので係合が外れることを防止することが出来る。また、フック片においても、フック片の基部から最外縁までの寸法と、フック片から前記抑制用壁の間隔との関係は、フック片の基部から前記係止片の先端までの寸法がフック片から前記抑制用壁の間隔より長いことによりカバー部材が外力により撓み差込片が後退しても、抑制用壁がフック片に当接してフック片がそれ以上後退することを抑制するので係合が外れることを防止することが出来る。
【００１４】
本発明の請求項４のカバー部材の係止手段を備えた液晶型テレビは、請求項３記載のカバー部材の係止手段を備えた液晶型テレビにおいて、前記抑制用壁は前記差込片と前記フック片を囲う枠型に形成したことを特徴とする。
【００１５】
請求項４の構成によれば、抑制用壁は差込片とフック片に対して、これら２種類の係止爪部によってカバー部材を取り付けた状態における係止爪部の背面側と両側面側とを囲う枠型に形成したことにより、カバー部材を取り付けるときは係止爪部の嵌挿位置を案内する壁面としての機能を果たし、係止状態においては抑制用壁の強度を補い、且つ係止爪部が側面側と背面側に移動して係合が外れることを抑制することが出来る。
【発明の効果】
【００１６】
請求項１に係るカバー部材の係止手段を備えた液晶型テレビの発明によれば、カバー部材の係止手段は、カバー部材の両横端から突き出して形成された複数の係止爪部と、係止爪部と対応して段差凹部に形成する複数の係合孔とから成り、係止爪部が係合孔に嵌挿されることで係合し、カバー部材を背面筐体に係止することができる。更に段差凹部には係止爪部と係合孔とを係合した後、係止爪部の係合解除方向の動きを抑制する抑制用壁を一体形成したことにより、横長の段差凹部を覆う横長で撓み易いカバー部材が不用意に外力を受けて撓み、係止爪部が外れそうになった場合は、係止爪部の背面側に形成した抑制用壁がこの動きを抑制することにより係止爪部が係合孔から外れてカバー部材が背面筐体から離脱することを防止することが出来る。
【００１７】
請求項２に係るカバー部材の係止手段を備えた液晶型テレビの発明によれば、係止爪部はカバー部材の一端側にＬ字型の差込片が形成され、他端側は弾性を有するＵ字型のフック片が形成されており、カバー部材を背面筐体に取り付けるときは、Ｌ字型の差込片を先に係合孔に嵌挿し、続いてＵ字型のフック片を嵌挿することにより簡単にカバー部材を取り付けることが出来る。また、弾性を有したＵ字型係止爪部が係合孔の縁面と圧接して係合を確実に維持すると共に、カバー部材を取り外すときは、Ｕ字型のフック片の係合を先に解除してからＵ字型の係止爪部側を持ち広げてＬ字型の差込片を引き抜くことにより簡単に係合を解除すること出来る。また、これら差込片とフック片が少なくともカバー部材の下端縁寄りに配置されるとともに、差込片を挿入してカバー部材の一端を引っ掛ける係合孔と、フック片と係止してカバー部材を固定する係合孔とが段差凹部の立ち上り壁に形成され、その立ち上り壁と対向して抑制用壁が一体形成されていることにより、横長で特に撓み易いカバー部材の下端寄りが不用意に外力を受けて撓み、係止爪部が外れそうになった場合でも、立ち上り壁と対向して係止爪部の背面側に形成した抑制用壁がこの動きを抑制することにより係止爪部が係合孔から外れてカバー部材が背面筐体から離脱することを防止することが出来る。
【００１８】
請求項３に係るカバー部材の係止手段を備えた液晶型テレビの発明によれば、抑制用壁の高さは係合孔の上部高さと概ね一致していることによりカバー部材が係止状態にあるときは差込片とフック片を係止してカバー部材が外れることを防止することが出来る。また、差込片の背面にはリブを形成してあり、係止爪部と係合孔とが係合しているときは、差込片の長さが抑止用壁側の間隔より長いことにより、カバー部材が外力により撓み差込片が後退しても、差込片の背面側に形成した抑制用壁がリブに当接して差込片がそれ以上後退することを抑制するので係合が外れることを防止することが出来る。また、フック片のの基部から前記係止片の先端までの寸法が抑止用壁側の間隔より長いことによりカバー部材が外力により撓み差込片が後退しても、背面側に形成した抑制用壁がフック片の基部に当接してフック片がそれ以上後退することを抑制するので係合が外れてカバー部材が離脱することを防止することが出来る。
【００１９】
請求項４に係るカバー部材の係止手段を備えた液晶型テレビの発明によれば、抑制用壁は差込片とフック片に対して、これら２種類の係止爪部の背面側と両側面側とを囲う枠型に形成したことにより、カバー部材を取り付けるときは係止爪部の嵌挿位置を案内する壁面としての機能を果たすことによりカバー部材の取り付けを容易とすると共に、係止状態においては抑制用壁の強度を補い、且つ係止爪部が側面側と背面側に移動することを抑制することが出来るのでカバー部材が不用意な外力を受けて撓むことにより背面筐体から離脱することを防止することが出来る。
【発明を実施するための最良の形態】
【００２０】
以下、本発明を実施するための最良の形態としての実施例を図１〜図７により説明する。もちろん、本発明は、その発明の趣旨に反さない範囲で、実施例において説明した以外のものに対しても容易に適用可能なことは説明を要するまでもない。
【００２１】
図１は本発明における一実施例を示す背面筐体とカバー部材の概略の構成を示す部分説明図であり、図２は液晶型テレビの全体を前面から見た斜視図である。また、図３は図２に示す液晶型テレビを後側から見た背面図である。
【００２２】
図２において液晶型テレビ１の筐体４の前面には液晶表示部２が配置されており、前記筐体４の底面側を支えるスタンド３と、筐体４背面側には図３に示す背面筐体５が配置され、背面筐体５の下側に後述の段差凹部１１を形成し、段差凹部１１には図示しない複数の入出力端子類や電源コードなどのコード類８を下向きに配置することを可能とする図示しない開口窓が形成されており、図３においてはコード類８が引き出された状態を示している。また、段差凹部１１を覆う横長のカバー部材６が配置され、カバー部材６の両横端と段差凹部１１の両側壁部とを着脱可能に係止するカバー部材６の係止手段とを備えた液晶型テレビ１である。
【００２３】
続いて図１により液晶型テレビ１の背面筐体５とカバー部材６の概要を説明する。図１は背面筐体５の段差凹部１１を覆う横長なカバー部材６を取り外した状態であり、図では手前側が下方向である。背面筐体５下側に横長に形成した段差凹部１１の下向き壁面１２には複数の入出力端子類７を配置可能とし電源コード８を引き出す開口窓１３が開口している。また、下向き壁面１２の上縁寄りの左右にカバー部材６を支持する鈎形フック６０が配置されている。段差凹部１１の中央の下側、図では手前側には一段高く突き出して前記カバー部材６を内側から支えるレバー形フック６１が形成されている。更にカバー部材６の両横端４１，５１から段差凹部１１の側壁部１５，１６側に突き出してカバー部材６と一体的に形成された係止爪部４２，５２が一端４１側に２箇所、他端５１側に２箇所配置されている。また係止爪部４２，５２と対向する段差凹部１１の側壁部１５，１６には係止爪部４２，５２と係合する係合孔１７を開口させて係合を可能とし、係止爪部４２，５２が係合孔１７と係合した後は係止爪部４２，５２の背面側に係止爪部４２，５２の係合解除方向の動きを抑制する抑制用壁２０を段差凹面１１から突き出して枠型に一体に形成している。
【００２４】
続いて図４は本発明におけるカバー部材の一端側に設けた係止爪部であるＬ字型の差込片と背面筐体の段差凹部に設けた係合孔の一部断面を含む拡大斜視図であり、図５はカバー部材の他端側に設けた係止爪部であるＵ字型のフック片と背面筐体の段差凹部に設けた係合孔の一部断面を含む拡大斜視説明図である。図６はカバー部材を背面筐体に取り付けたときの係止爪部を示す断面図であり、差込片およびフック片の寸法と背面に設けた抑制用壁の間隔との関係を示す説明図である。図７は前記図６の状態でカバー部材に外力が加わって撓み、抑制用壁が係止爪部の脱落を抑制している状態を示す説明図である。
【００２５】
図４において、カバー部材６の下端縁寄りに設けたＬ字型の係止爪部である差込片４４はＬ字型基部４３から突き出してＬ字型に折れ曲がって形成されていると共にＬ字型基部４３の背面にはリブ４５が形成されている。一方、背面筐体５の段差凹部１１の側壁部１５には差込片４２と対向する位置に係合孔１７を形成すると共に、係合孔１７に隣接して抑制用壁２０が係合孔１７に向かって枠型の壁を形成しており、カバー部材６を背面筐体５に取り付けるときは図１に示すカバー部材６のＵ字型係止爪部５２側である他端側５１を持ち広げて差込片４４を係合孔１７に対して斜め上方向から嵌挿し、続いてカバー部材６の他端側５１を下げるとＬ字型基部４３を枠型の抑制用壁２０の懐へと容易に嵌挿することが出来る。また、カバー部材６を取り外すときは予め係止片５４の係合を解除してＵ字型係止爪部５２側を持ち広げることにより差込片４４を係合孔１７に対して斜め上方向に引き抜くことで容易に取り外すことが出来る。
【００２６】
また図５では、カバー部材６の下端縁寄りに設けたＵ字型係止爪部５２にはカバー部材６からＵ字型基部５３が突き出してＵ字型に折れ曲がり、Ｕ字型基部の先端部５５寄りに係止片５４が形成されている。一方、背面筐体５の段差凹部１１の側壁部１６にはＵ字型係止爪部５２と対向する位置に係合孔１７を開口して形成していると共に、係合孔１７に隣接して抑制用壁２０が係合孔１７に向かって枠型の壁を形成しており、Ｌ字型係止爪部４２側を係合した後は、Ｕ字型係止爪部５２のＵ字型基部５３を前記係合孔１７と抑制用壁２０を目印にして位置を合わせ、軽く押すことにより、Ｕ字型係止爪部の形状による弾性を持たせたことにより係止片５４は係合孔１７に嵌挿し、同時にＵ字型基部５３を枠型に形成された抑制用壁２０の内部へと嵌挿することが出来る。
【００２７】
次に、図６によりカバー部材６を背面筐体５に取り付けたときの係止爪部４２，５２について説明する。図の左側はカバー部材６の一端側４１でＬ字型係止爪部４２は差込片４４のほぼ全長（Ａ）が側壁部１５に形成された係合孔１７に嵌挿されて係合し、枠型に形成した抑制用壁２０との間に所定の間隔（Ｂ）をもって係止している。また、図の右側はカバー部材６の他端側５１でありＵ字型係止爪部５２は係止片５４のほぼ全長（Ｃ）が係合孔１７に嵌挿されて係合していると共に、Ｕ字型基部５３が側壁部１６に圧接している。更に抑制用壁２０によりＵ字型基部５３の背面は枠型に形成した抑制用壁２０との間に所定の間隔（Ｄ）をもって係止している。
【００２８】
ここでＬ字型係止爪部４２，Ｕ字型係止爪部５２の双方において、カバー部材６の着脱操作のやり易さと不用意な外力（Ｆ）を受けても外れ難い、差込片４４、係止片５４の長さ（Ａ），（Ｃ）とＬ字型基部４３，Ｕ字型基部５３のそれぞれの背面と抑制用壁２０との間隔（Ｂ），（Ｄ）の好ましい関係について説明する。Ｌ字型係止爪部４２側において、（Ａ）と（Ｂ）の長さが同じ、或いは（Ａ）が（Ｂ）より短い場合は、背面に設けた抑制用壁２０がＬ字型基部４３のリブ４５に当接して抜けを抑制することが出来ず、不用意な外力（Ｆ）により図７に示すようにカバー部材６が大きく撓んだ場合に、係合孔１７から差込片４４が斜め上に持ち広げられる方向に力が働くため係合は外れてしまい、カバー部材６が離脱することとなる。また、Ｕ字型係止爪部５２側においても同様に、（Ｃ）と（Ｄ）の長さが同じ、或いは（Ｃ）が（Ｄ）より短い場合は、背面に設けた抑制用壁２０がＵ字型基部５３の背面に当接して抜けを抑制することが出来ず、不用意な外力（Ｆ）により図７に示すようにカバー部材６が大きく撓んだ場合に、係合孔１７から前記フック片５４が斜め上に持ち広げられる方向に力が働くため係合は外れてしまい、カバー部材６が離脱することとなる。
【００２９】
従って、差込片４４、係止片５４の長さ（Ａ），（Ｃ）と、Ｌ字型基部４３，Ｕ字型５３の背面と抑制用壁２０との間隔（Ｂ），（Ｄ）の好ましい関係は、Ｌ字型係止爪部４２側においては差込片４４の長さ（Ａ）が背面側の間隔（Ｂ）より長い、（Ａ）＞（Ｂ）の関係であり、Ｕ字型係止爪部５２側においても係止片５４の長さ（Ｃ）が背面側の間隔（Ｄ）より長い、（Ｃ）＞（Ｄ）の関係式が成り立つことが好ましく、この関係を確保することにより、図７のように横長で撓み易いカバー部材６が不用意な外力（Ｆ）により撓み方向の変形を受けても抑制用壁２０が、差込片４４と係止片５４が後退して抜けることを抑制し、カバー部材６が背面筐体５から離脱することを防止することが出来る。
【００３０】
以上のように、本発明のカバー部材６の係止手段を備えた液晶型テレビによれば、液晶テレビ１の背面筐体５の下側に段差凹部１１を設け、段差凹部１１の下向き壁面１２に開口させた開口窓１３に配置した入出力端子類７と図示しない外部電子機器とを接続するコード類８を覆う横長で撓み易いカバー部材６を配置して背面筐体５と係合して係止するにあたり、カバー部材６の横方向の両端部４１，５１に形成したＬ字型係止爪部４２とＵ字型係止爪部５２を採用することによりカバー部材６を人為的に着脱可能な構造としている。まず、カバー部材６を取り付けるには、Ｕ字型係止爪部５２側を持ち広げて斜めにし、Ｌ字型係止爪部４２の差込片４４を先に嵌挿して係合し、続いてカバー部材６を背面筐体５と平行にしてからＵ字型係止爪部５２側を押して背面筐体５に設けた段差凹部１１の側壁部１６に開口して形成した係合孔１７に係止片５４を嵌挿して係合する。また、逆にカバー部材６を取り外すときは、Ｕ字型先端側を摘んで係止片５４の係合を解除し、続いてカバー部材６のＵ字型係止爪部５２側を持ち広げて斜めにし、Ｌ字型係止爪部４２の差込片４４を斜め方向に抜くことで簡単且つ容易にカバー部材６を取り外すことが出来る。また、不用意な外力（Ｆ）によりＬ字型係止爪部４２，Ｕ字型係止爪部５２が係合孔１７から抜けることを防止する抑制用壁２０を新たに形成して配置し、更に差込片４４及び係止片５４の長さ（Ａ），（Ｃ）と、Ｌ字型係止爪部４２，Ｕ字型係止爪部５２の背面と抑制用壁２０との間隔（Ｂ），（Ｄ）の関係の好ましくは差込片４４及びフック片５４の寸法（Ａ），（Ｃ）が各々抑制用壁２０側の間隔（Ｂ），（Ｄ）より長くすることにより、横長で撓み易いカバー部材６が外力（Ｆ）によって撓み、離脱することを防止することが出来るので前記背面筐体５の下側から引き出されるコード類８を十分に保護することが出来る。
【００３１】
また、カバー部材６の係止手段により、下向きに統一されて引き出されるコード類８は整然と配列することが可能であり、更にコード類８の接続部近傍をカバー部材６で覆うことが可能となったことから、液晶型テレビ１の美観は向上し、壁掛け用として、或いはスタンド３による据え置き用として液晶型テレビ１を任意に配置して心地よく視聴することが出来る。
【００３２】
以上、本実施例を詳述したが、本発明は、前記実施例に限定されるものではなく、本発明の要旨の範囲内で種々の変形実施が可能である。例えば、カバー部材６の両横端側４１，５１に各々２箇所形成したＬ字型係止爪部４２とＵ字型係止爪部５２は２箇所に限らず、カバー部材６が外力により外れることを防止することが可能な状態であれば良く、また、鈎形フック６０やレバー形フック６１の配置もカバー部材６の撓み易さを配慮して配置する数や位置を変更するなど前記実施例に限定されるものではなく、適宜選定すればよい。
【図面の簡単な説明】
【００３３】
【図１】本発明の一実施例を示す背面筐体にカバー部材を取り付け前の状態を下側から見た斜視説明図である。
【図２】本発明の一実施例を示す液晶型テレビの前面側を示す斜視説明図である。
【図３】本発明の一実施例を示す液晶型テレビの背面説明図である。
【図４】本発明の一実施例を示すカバー部材の一端側に設けたＬ字型係止爪部と背面筐体の段差凹部壁面に設けた係合孔を示す斜視説明図である。
【図５】本発明の一実施例を示すカバー部材の他端側に設けたＵ字型係止爪部と背面筐体の段差凹部壁面に設けた係合孔を示す斜視説明図である。
【図６】本発明の一実施例を示すカバー部材を背面筐体に取り付けた状態の係止爪部と係合孔の係合状態を示す断面説明図である。
【図７】本発明の一実施例を示すカバー部材に外力が加わり撓みによって係止爪部が外れかけても抑制用壁が抜けを防止している状態を示す断面説明図である。
【図８】従来の電池ケースにおけるカバー部材の取付け構造を示す断面説明図である。
【図９】従来の液晶型テレビにおける背面筐体にカバー部材を取付け前の状態を下側から見た斜視説明図である。
【図１０】従来のカバー部材の一端側に設けたＬ字型係止爪部と背面筐体の段差凹部壁面に設けた係合孔を示す斜視説明図である。
【図１１】従来のカバー部材の他端側に設けたＵ字型係止爪部と背面筐体の段差凹部壁面に設けた係合孔を示す斜視説明図である。
【図１２】従来のカバー部材を背面筐体に取り付けた状態の係止爪部と係合孔の係合状態を示す断面説明図である。
【図１３】従来のカバー部材に外力が加わり撓みによって係止爪部が外れかけている状態を示す断面説明図である。
【符号の説明】
【００３４】
１          液晶型テレビ
２          液晶表示部
３          スタンド
４          筐体
５          背面筐体
６          カバー部材
７          入出力端子
８          電源コードなどコード類
１１        段差凹部
１２        下向き壁面
１３        開口窓
１５        横壁面の一方（立ち上がり壁）
１６        横壁面の他方（立ち上がり壁）
１７        係合孔
２０        抑制用壁
４１        一端側（横端側）
４２        Ｌ字型係止爪部
４３        Ｌ字型基部
４４        差込片
４５        リブ
５１        他端側（横端側）
５２        Ｕ字型係止爪部（フック片）
５３        Ｕ字型基部
５４        係止片
【手続補正３】
【補正対象書類名】図面
【補正対象項目名】図４
【補正方法】変更
【補正の内容】
【図４】
2006067380.tif 000001
【手続補正４】
【補正対象書類名】図面
【補正対象項目名】図６
【補正方法】変更
【補正の内容】
【図６】
2006067380.tif 000002
【手続補正５】
【補正対象書類名】図面
【補正対象項目名】図７
【補正方法】変更
【補正の内容】
【図７】
2006067380.tif 000003